(57)【要約】【課題】患者の症状の把握，病名の発見，薬の処方箋等殆どすべてを担当医が行なっていたので、時間もかかり処置が適切ではない場合もあった。【解決手段】１はサーバ専用機，２は医療ＤＢ，３は自覚症状入力端末，４は診察券読取部，５はパソコンである。自覚症状入力端末３に自覚症状が入力されると推測される病名，診察データが入力されると自覚症状と診察データとを纏めた診察結果，診察結果から想定される医療処置，治癒の状態が入力されると治療成果，治療成果から統計処理された医療処置ランク等がパソコン画面に表示される。【選択図】　　　　図１
2004118279.tif 000002
【特許請求の範囲】
【請求項１】
サーバ専用機（１）と、患者，病名，薬等の医療データが格納されている医療ＤＢ（２）と、クライアントであるパソコン（５）等から構築されるＬＡＮ構成の医療診断支援システムであって、
パソコン（５）には診察券読取部（４）を有する自覚症状入力端末（３）が接続されており、
自覚症状入力端末（３）の自覚症状入力画面Ａ（１０ａ）と自覚症状入力画面Ｂ（１０ｂ）に入力される初診患者の自覚症状から推測される病名を検索してパソコン（５）の画面に病名表示画面（１１）として表示する機能と、
問診，検査等、診察で得た診察データと前記自覚症状とを纏めてパソコン（５）の画面に診察結果表示画面（１２）として表示する機能と、
前記診察結果から病名，薬の処方箋、注意事項等の医療処置情報を検索してパソコン（５）の画面に医療処置表示画面（１３）として表示する機能と、
前記患者の再診の際に得られる治療結果をパソコン（５）の画面に治療成果表示画面（１４）として表示する機能と、
前記治療成果から医療処置の良否の割合をランク分けしてパソコン（５）の画面に医療処置ランク表示画面（１５）として表示する機能とを備えていることを特徴とする医療診断支援システム。
【発明の詳細な説明】
【０００１】
【発明の属する技術分野】
本発明はパソコンネットワークに蓄積されている医療データを利用して患者の医療診断を自動的に行なう医療診断支援システムに関する。
【０００２】
【従来の技術】
医師は、質問書に初診患者が記入した自覚症状と患者に対する問診，検査，診察等から病気を見出し、治療を施すものであった。また、再来患者の治癒の程度に応じて同じ治療を続けたり、治療内容を変更していた。
【０００３】
【発明が解決しようとする課題】
しかし、従来の医療診断支援システムでは、患者の症状の把握，病名の発見，薬の処方箋等殆どすべてを担当医が行なっていた。従って、医師の処置には関連する広範囲の事項に配慮する必要があり、それだけ時間もかかり処置が適切ではない場合もあった。
【０００４】
本発明はこのような点に鑑みてなされたものであり、医師の診断に関連する範囲を合理的に縮小し、的確な診断を迅速に行えるようにするために、一定の入力データから患者の医療診断を自動的に行う医療診断支援システムを提供することを目的とする。
【０００５】
【課題を解決するための手段】
上記課題を解決するために本発明の医療診断支援システムは、サーバ専用機１と、患者，病名，薬等の医療データが格納されている医療ＤＢ２と、クライアントであるパソコン５等から構築されるＬＡＮ構成の医療診断支援システムであって、パソコン５には診察券読取部４を有する自覚症状入力端末３が接続されており、自覚症状入力端末３の自覚症状入力画面Ａ１０ａと自覚症状入力画面Ｂ１０ｂに入力される初診患者の自覚症状から推測される病名を検索してパソコン５の画面に病名表示画面１１として表示する機能と、問診，検査等、診察で得た診察データと前記自覚症状とを纏めてパソコン５の画面に診察結果表示画面１２として表示する機能と、前記診察結果から病名，薬の処方箋、注意事項等の医療処置情報を検索してパソコン５の画面に医療処置表示画面１３として表示する機能と、前記患者の再診の際に得られる治療結果をパソコン５の画面に治療成果表示画面１４として表示する機能と、前記治療成果から医療処置の良否の割合をランク分けしてパソコン５の画面に医療処置ランク表示画面１５として表示する機能とを備えていることを特徴とする医療診断支援システム。
【０００６】
【発明の実施の形態】
症状から病気を診断するためには多くの情報量と綿密な解析が必要となる。ＬＡＮ構成のサーバ専用機１の医療ＤＢ２に蓄積されている治療法，薬の処方箋，病名と症状との関連等の医療データを利用することにより、必要な参考資料を自動的に表示させるものである。この参考資料に医師の所見を加味することにより一層適切な処置が迅速に行えるとともに、治療成果情報を医療ＤＢ２に追加蓄積することにより参考資料の精度を向上させることができる。
【０００７】
先ず、患者の自覚症状から想定される病名をパソコン画面に自動表示させて参考資料とする。次に、自覚症状と診察から病名，薬の処方箋，医療処置をパソコン画面に自動表示させて参考資料とする。これらの参考資料に医師の所見を加味した医療処置を施すものである。さらに、これらの医療処置による治癒程度を反映させることにより参考資料の精度を向上させ、的確な医療処置の向上と診察時間の短縮を図ることができる。
【０００８】
【実施例】
以下、本発明の一実施例を図面に基づいて説明する。
図１は本発明の一実施例における医療診断支援システムの概要構成図である。図において、１はサーバ専用機であり、患者，病名，薬等の医療データが格納されている医療ＤＢ２からクライアントであるパソコン５の要求に応じて必要データを提供する。医療データは医学大辞典などから過去に蓄積されたデータである。
【０００９】
３は初診患者が自覚症状を入力する自覚症状入力端末であり、診察券読取部４を備えている。この診察券読取部４は外来患者受付カウンタに設置されており、患者の持っている磁気カードからなる診察券から患者の氏名，性別，年齢，住所、保険証番号等を読み取る。
【００１０】
５は各診療科ごとに設置されているパソコンであり、サーバ専用機１に接続されており、必要なデータの供給を受ける。また、自覚症状入力端末３に入力されたデータを取り込み保存する。サーバ専用機１はパソコン５からのデータで医療ＤＢ２のデータを更新する。
【００１１】
パソコン５は自覚症状から推測される病名，自覚症状と診察データとを纏めた診察結果，診察結果から想定される医療処置，入力された治療成果，治療成果から統計処理された医療処置ランク等を画面に表示する機能を有している。これらの機能はパソコン５のメモリに格納されているアプリケーションソフトをＣＰＵの制御のもとに実行されることにより発揮される。
【００１２】
次に、本発明の一実施例である医療診断支援システムの動作を図２〜７に基いて説明する。
図２は本発明の一実施例である医療診断支援システムにおける自覚症状入力画面Ａ１０ａと自覚症状入力画面Ｂ１０ｂである。具合の悪い箇所として身体の部位をタッチされると部位の名称が表示され、名称が異なる場合は再タッチされる。つづいて、表示画面の質問にそった該当箇所がタッチされる。
【００１３】
図３は本発明の一実施例である医療診断支援システムにおける病名表示画面１１である。自覚症状入力画面ｂ１０Ｂにおける入力が完了すると、自覚症状から推測される病名が確率の高い順に表示される。
【００１４】
図４は本発明の一実施例である医療診断支援システムにおける診察結果表示画面１２である。問診，検査，診察による診察データが入力されると自覚症状と診察データとを纏めた診察結果が表示される。
【００１５】
図５は本発明の一実施例である医療診断支援システムにおける医療処置表示画面１３である。診察結果表示画面１２に問題がなければ、病名と共に医療処置としての薬の処方箋や注意事項等が表示される。
【００１６】
図６は本発明の一実施例である医療診断支援システムにおける治療成果表示画面１４である。これは患者の治癒の程度が項目別に入力されると表示される。
【００１７】
図７は本発明の一実施例である医療診断支援システムにおける医療処置ランク表示画面１５である。治療成果表示画面１４問題がなければ、病名と共に薬の処方箋，注意事項に対するコメントと共に総合評価のランクが表示される。
【００１８】
【発明の効果】
以上説明したように、本発明の医療診断支援システムでは、サーバ専用機１と、患者，病名，薬等の医療データが格納されている医療ＤＢ２と、クライアントであるパソコン５等から構築されるＬＡＮ構成の医療診断支援システムであって、パソコン５には診察券読取部４を有する自覚症状入力端末３が接続されており、自覚症状入力端末３の自覚症状入力画面Ａ１０ａと自覚症状入力画面Ｂ１０ｂに入力される初診患者の自覚症状から推測される病名を検索してパソコン５の画面に病名表示画面１１として表示する機能と、問診，検査等、診察で得た診察データと前記自覚症状とを纏めてパソコン５の画面に診察結果表示画面１２として表示する機能と、前記診察結果から病名，薬の処方箋、注意事項等の医療処置情報を検索してパソコン５の画面に医療処置表示画面１３として表示する機能と、前記患者の再診の際に得られる治療結果をパソコン５の画面に治療成果表示画面１４として表示する機能と、前記治療成果から医療処置の良否の割合をランク分けしてパソコン５の画面に医療処置ランク表示画面１５として表示する機能とを備えているので、
患者の自覚症状から想定される病名，診療結果から想定される医療処置，治療成果から得られる医療処置ランク等の参考資料に医師の所見を加味することにより的確な医療処置の向上と診察時間の短縮を図ることができる。さらに、これらの医療処置による治癒程度を反映させることにより参考資料の精度を向上させることができる。
【図面の簡単な説明】
【図１】本発明の一実施例における医療診断支援システムの概要構成図である。
【図２】本発明の一実施例である医療診断支援システムにおける自覚症状入力画面であり、（ａ）はその１、（ｂ）はその２である。
【図３】本発明の一実施例である医療診断支援システムにおける病名表示画面である。
【図４】本発明の一実施例である医療診断支援システムにおける診察結果表示画面である。
【図５】本発明の一実施例である医療診断支援システムにおける医療処置表示画面である。
【図６】本発明の一実施例である医療診断支援システムにおける治療成果表示画面である。
【図７】本発明の一実施例である医療診断支援システムにおける医療処置ランク表示画面である。
【符号の説明】
１　サーバ専用機
２　医療ＤＢ
３　自覚症状入力端末
４　診察券読取部
５　パソコン
１０ａ　自覚症状入力画面Ａ
１０ｂ　自覚症状入力画面Ｂ
１１　病名表示画面
１２　診察結果表示画面
１３　医療処置表示画面
１４　治療成果表示画面
１５　医療処置ランク表示画面
【図１】
2004118279.tif 000003
【図２】
2004118279.tif 000004
【図３】
2004118279.tif 000005
【図４】
2004118279.tif 000006
【図５】
2004118279.tif 000007
【図６】
2004118279.tif 000008
【図７】
2004118279.tif 000009